(57)【特許請求の範囲】
【請求項１】
清浄水が付着したメダルを送る通路は、メダルの表面又は裏面が接地して送られる横送りさせる下面部を有し且つ同下面部を徐々に下方に向かうように湾曲し、しかも前記下面部と平行に下方に向かって湾曲するカバーを設ける構造であり、同下面部とカバーの下端部の下方に通路を横切るように傾斜したメダル当て面を設け、同メダル当て面に複数の排水孔を設けた清浄水の付着したメダルを送るメダル水切り装置。
【発明の詳細な説明】
【０００１】
【発明の属する技術分野】
本発明は、遊技用のメダル・コイン・硬貨（本明細書中メダルと総称する。）を洗浄水を用いて洗浄した後に、洗浄水の付着したメダルの水切りを行うメダル水切り装置に関する。
【０００２】
【従来の技術】
従来において、遊技用のメダルは、人が手で持ってゲーム機に投入するなどして使用されるので、メダルには手の脂・ゴミ・汚れなどが付着しやすく、また、機械内を搬送されたり、収容されたりすることから油が付着したりもする。よって、メダルの洗浄・乾燥が適時行われていた。このメダルの洗浄には水洗浄が用いられることが多い。洗浄後には、メダルに水が付着しているのでメダルを乾燥装置等で乾燥させて再利用していた。メダルは十分に乾燥させないと、使用する人を不快にさせたり、設備の劣化を早めたり、不具合の原因となったりする。
よって水洗浄後の乾燥は十分行うために時間がかかっていた。
メダルの乾燥に時間がかかると、メダルを使用する遊技設備としては別に使用するメダル量を確保しなければならなくなるため、結果的に多くのメダル量を使用することになってしまい、コスト負担が大きかった。または、乾燥装置を多くして対応させるのにも設備コストが大きくなっていた。
【０００３】
【発明が解決しようとする課題】
本発明が解決しようとする課題は、従来のこれらの問題点を解消し、洗浄後のメダルの水切りを十分に行うことができ、その後のメダルの乾燥が短時間でできるようにし、メダルに関するコストを抑制できるメダル水切り装置を提供することにある。
【０００４】
【課題を解決するための手段】
かかる課題を解決した本発明の構成は、
１）  清浄水が付着したメダルを送る通路は、メダルの表面又は裏面が接地して送られる横送りさせる下面部を有し且つ同下面部を徐々に下方に向かうように湾曲し、しかも前記下面部と平行に下方に向かって湾曲するカバーを設ける構造であり、同下面部とカバーの下端部の下方に通路を横切るように傾斜したメダル当て面を設け、同メダル当て面に複数の排水孔を設けた清浄水の付着したメダルを送るメダル水切り装置
にある。
【０００５】
【作用】
本発明では、通路を移動するメダルが、通路の路端又は投擲されてメダル当て面に周端から当たることによって、メダルに付着している水分・水滴に、衝撃・振動、これらの伴う慣性力を加えて、メダルから分離させ、メダルから分離させた水滴・水分は排水手段で排水する。
メダルを送る通路を下方に湾曲又は傾斜させたものは、メダルが速い速度でメダル当て面で当たるようにする。
メダルを通る通路が横送りの通路であるものは、既存の通路や装置に接続しやすくする。
メダル当て面がメダルを送る通路を横切るように傾斜させたものは、メダル当て面に当てたメダルが、メダル当て面の傾斜によって路面を移動することによって、回転して水を外周又は下方に振り切るようにしてさらに水切りが行われるようにする。
メダルを送る通路の外側を覆うカバーを設けたものは、通路からメダルが飛び出した際にメダルをメダル当て面に誘導する。
【０００６】
【発明の実施の形態】
本発明のメダル水切り装置は、単体で用いるようにしても、メダルの洗浄から乾燥工程の途中に設けるようにしてもよく、洗浄装置のすぐ後続に設けるものが効果高く好ましい。
メダル当て面及び横送り通路、または水切り装置のそれ以外の通路、さらに水切り装置に連結される場合のメダルの搬送路は、路面が水切りしやすいよう吸水体やブラシ状にしたものが好ましく、さらにその路面には、排水孔や排水路を設けて、メダルから分離した水がメダルに再付着しないようにするのが好ましい。
空気吹付装置から送られる乾燥空気は、メダルに付着している水分が蒸発しやすいように温度の高い空気にするのが好ましい。
メダル当て面に設ける排水手段は、排水孔でも溝状の排水路でもよく、水はけのよい部材を路面とし、その下方に排水路を設けるようにしてもよい。
本発明において、メダルを送る通路として横送り通路を設ける場合には、メダル洗浄装置のメダル排出口からのメダル通路部分を横送り通路としてもよく、変向通路の変向前の部分を横送り通路としてもよく、また別のメダル搬送路をメダル水切り装置の上流側に接続して横送り通路としてもよい。
メダルを横送りから縦送りに変向させる場合は、路面を下方に湾曲、傾斜させてもよいし、路面から投擲したメダルを湾曲・傾斜したカバーに当てて変向させてもよい。
メダル当て面の路面に排水孔又は排水路を設ける際には、縦送りのメダルの下方周端が複数の排水孔又は排水路に送りに支障が生じない程度に沈み込むようにして、上下に振動しながら移動してさらに水切り効果を高めるようにしてもよい。
【０００７】
【実施例】
本発明の各実施例について図面を参照して具体的に説明する。
実施例１（図１〜５参照）
図１〜５に示すのは、メダルを送る通路を湾曲させ、メダル当て面がメダル通路を横切るように傾斜させた構造にし、メダル当て面の後端に次の横送り通路を連結し、メダルを送る通路の外側にカバーを設け、メダルに乾燥空気を吹き付ける空気吹付装置を設けたメダル水切り装置の例であって、このメダル水切り装置をメダル洗浄装置とメダル乾燥装置の間のメダルの搬送路に設けたメダルの洗浄・乾燥装置の例である。
図１は実施例１のメダルの水切り装置の斜視図である。図２は実施例１のメダルの水切り装置の説明図である。図３は実施例１のメダル水切り装置の断面図である。図４は実施例１のメダル水切り装置の断面図である。図５は実施例１のメダルの洗浄・乾燥装置の説明図である。
図中、１はメダル水切り装置、２はメダル当て面、２ａは路面、２ｂは排水手段として設けた排水孔、２ｃは終端部、４はメダルを送る通路として用いた変向通路、４ａは下面部、４ｂはカバー、４ｃはカバーの開口部、５はメダル搬送路、５ａは排水孔、５ｂは側壁、６はメダル洗浄装置、６ａは回転盤、６ｂはブラシ、６ｃはブラシ、６ｄはメダル排出口、６ｅはメダル投入口、７はメダル乾燥装置、９はメダル搬送路、１１はメダルの洗浄・乾燥装置、ｍはメダルである。
【０００８】
本実施例１のメダル水切り装置１は図１〜５に示すように、メダル洗浄装置６から洗浄したメダルが送られるメダル排出口６ｄに連結するようにメダル水切り装置１を設けている。メダル洗浄装置６は、駆動で回転する回転盤６ａに環状にブラシ６ｂを設け、さらにブラシ６ｂに対向するように固定された環状のブラシ６ｃを設け、水を供給しながらブラシ６ｂとブラシ６ｃの間で水洗浄を行うものである。
メダル水切り装置１は、図３に示すように、メダル洗浄装置６のメダル排出口６ｄに接続するように、変向通路４の下面部４ａを設ける。下面部４ａは、徐々に下方に湾曲するようにし、下端は垂直になっている。この変向通路４の下面部４ａは、メダル排出口６ｄからのメダルが下面部４ａの側端近くを通るようにする。
次に下面部４ａの下端のメダルが通る側端から所定の長さ側方に向かう傾斜させたメダル当て面２を設ける。メダル当て面２は、下面部４ａのメダルが通る側の側端からもう一方の側端に向って徐々に位置が下がるよう傾斜させる。
次に、下面部４ａの上方に、下面部４ａと平行に下方に向って湾曲したカバー４ｂを設ける。下面部４ａ及びカバー４ｂの下端部がメダル当て面２の側壁となるようにする。また、カバー４ｂは、メダル当て面２の終端部２ｃで開口する形状にした開口部４ｃを設ける。
メダル当て面２の路面２ａには、水を下方に排出する排水孔２ｂを複数設ける。次に、下面部４ａ，カバー４ｂ，メダル当て面２の下面を支持し、さらにメダルを斜め下方に送るメダル搬送路５を設ける。メダル搬送路５の路面には、水を下方に排出するための排水孔５ａを複数設ける。次にメダル搬送路５の側壁５ｂを設ける。側壁５ｂは、下面部４ａ，カバー４ｂの側端及びメダル当て面２の始端に接するようにする。
メダル搬送路５の後端には、さらに別のメダル搬送路９を接続し、メダルをメダル乾燥装置７に送るようにする。
本実施例１では、このようにメダル洗浄装置６のメダル排出口６ｄに接続するようにしてメダル水切り装置１を設け、メダルの水切りを行ったメダルをメダル搬送路９でメダル乾燥装置７に送るようにしてメダルの洗浄・乾燥装置１１を構成する。
【０００９】
本実施例１において、メダル洗浄装置６のメダル投入口６ｅからメダルが投入されると、回転盤６ａの回転によって、メダルｍは回転盤６ａの外周に沿って移動しながらブラシ６ｂ，６ｃによって水洗浄されて、メダル排出口６ｄから排出される。
メダル排出口６ｄから排出されたメダルｍは、表面又は裏面が接地する横送りの状態でかなりの速度をもって排出される。このメダルは、変向通路４内へ向かう。変向通路４内で、メダルは下面部４ａ上を移動する。下面部４ａは、徐々に下方に向かうよう湾曲しているので、メダルｍは下面部４ａを速度をもって滑って射出されるようにカバー４ｂに当って縦向きになって、メダルｍは周端からメダル当て面２の路面２ａ上に落下する。このメダルの落下の衝撃とわずかにバウンドする動きの慣性力によって、メダルｍに付着していた水がメダルから分離する。メダルから分離した水は排水孔２ｂから下方に排出する。
メダル当て面２に着地したメダルｍは、路面２ａが傾いていることと、路面２ａの表面の形状・材質をメダルとの摩擦が大きいものにしていることによって回転しながら、縦送りで移動する。
【００１０】
このようにしてメダル当て面２を通過したメダルは、終端部２ｃからメダル搬送路５に移り変わって、側壁５ｂに当たる。メダル搬送路５の路面は、メダルをメダル乾燥装置７に送るように傾斜しているので、縦向きのメダルを傾ける力が働いて、メダルは倒れて表面又は裏面が接地する横向きとなって、横送りでさらにメダル搬送路９を移動してメダル乾燥装置７に向かう。メダル搬送路９を横送りで適度な時間をかけて送ることによって、メダルに付着した水分の蒸発を行うことができ、所定の処理時間を必要とするメダル乾燥装置７の直前でメダルを溜めてしまうことがないようにする。さらに、図示しないがメダル搬送路９にも排水孔を設けたり、路面を吸水性のシートにするなどして、さらにメダルから水分を除去するようにしてもよい。
メダル乾燥装置７内に送られたメダルは、メダル乾燥装置７によって強制的に乾燥される。この後メダルはメダルの遊技設備において再利用される。
本実施例１に使用されているメダル乾燥装置７は除湿を行うことによってメダルを乾燥させるものである。
本実施例のメダル水切り装置を用いることによって、メダル乾燥装置７で試験的に十分に乾燥させるために５ｈ（時間）行った除湿によりメダル及び雰囲気空気中から除いた水分の量は、従来５ｈ（時間）で３．５リットルから５ｈ（時間）で２．４リットルとなった。つまり、水切り装置１によって従来メダル乾燥装置で除去していた水分量の約２５％を除去できる。
このように、メダル乾燥装置７での処理時間を短くすることができるため、エネルギーコストや作業コストが抑制でき、メダルの遊技設備全体でストックしておくメダルの量を減らせるので、メダルの保有量を減らせるので運営コスト等を抑制できる。また、メダルを確実に乾燥させることができるので、メダルを使用して遊技を行う人も気持ちよく使用でき非常に好ましい。
【００１１】
【発明の効果】
本発明によれば洗浄後のメダルの水切りを十分に行うことができ、その後のメダルの乾燥が短時間でできるようにし、メダルに関するコストを抑制できるメダル水切り装置を提供することにある。
メダルを送る通路を下方に湾曲又は傾斜させたものは、より効果高く水切りを行うことができる。
メダル当て面がメダルを送る通路を横切るように傾斜させたものは、さらに効果高く水切りを行うことができる。
メダルを送る通路の外側を覆うカバーを設けたので、さらに確実にメダルの水切りを行うことができる。
【図面の簡単な説明】
【図１】  実施例１のメダル水切り装置の斜視図である。
【図２】  実施例１のメダル水切り装置の説明図である。
【図３】  実施例１のメダル水切り装置の断面図である。
【図４】  実施例１のメダル水切り装置の断面図である。
【図５】  実施例１のメダルの洗浄・乾燥装置の説明図である。
【符号の説明】
１  メダル水切り装置
２  メダル当て面
２ａ  路面
２ｂ  排水孔
２ｃ  終端部
４  変向通路
４ａ  下面部
４ｂ  カバー
４ｃ  （カバーの）開口部
５  メダル搬送路
５ａ  排水孔
５ｂ  側壁
６  メダル洗浄装置
６ａ  回転盤
６ｂ  ブラシ
６ｃ  ブラシ
６ｄ  メダル排出口
６ｅ  メダル投入口
７  メダル乾燥装置
８  空気吹付装置
９  メダル搬送路
１１  メダルの洗浄・乾燥装置
ｍ  メダル
【図１】
0003877969.tif 000002
【図２】
0003877969.tif 000003
【図３】
0003877969.tif 000004
【図４】
0003877969.tif 000005
【図５】
0003877969.tif 000006